(57)【要約】【課題】  廃棄物等の被切断物を切断する切断装置と、被切断物が喰い込むことを防止する切断刃と、被切断物が喰い込んだ切断刃から被切断物を除去して再切断できるようにした角装置と、山積みされた被切断物の取り出し、散乱した切断物の整理作業を行う爪装置と、整理された切断物の積み込み、積み上げ、運搬等の後処理作業ができるようにしたフォーク装置と、鉄屑を除去することができるようにした電磁石装置とを、一体的に備えた油圧ショベル等の廃棄物等の処理装置を提供する。【解決手段】  切断装置１０Ｂと、角装置２０と、爪装置３０と、フォーク装置４０と、電磁石装置６０Ｂとを備えたもの。【選択図】        図１２
2007009679.tif 000002
【特許請求の範囲】
【請求項１】
被切断物５０を切断する切断装置１０と、切断刃１２に喰い込んだ被切断物５０を除去して再切断できるようにした角装置２０と、切断物５１のかきまわし、ひっかけくずし、引き出し等の整理作業ができるようにした爪装置３０と、切断物５１のつかみ、積み込み、積み上げ、運搬等の後処理作業ができるようにしたフォーク装置４０とを備えたことを特徴とする油圧ショベル等の廃棄物等の処理装置。
【請求項２】
前記切断装置１０が、切断刃１２と刃受け１３からなり、切断刃１２は、扇形の切断鋸刃１２１の一端の軸１２３を、受けフレーム１１に軸着し、他端の軸１２４を、アーム２に設けたバケットシリンダ３のロッド４先端にＨ形リンク６を介して軸着すると共に、刃受け１３は、受けフレーム１１の前部に形成され、受けフレーム１１は、中間部をアーム２に軸支し、後部をアーム２との間を固着した固定具１１１によりアーム２に当接できるようにしていることを特徴とする請求項１記載の油圧ショベル等の廃棄物等の処理装置。
【請求項３】
前記角装置２０が、受けフレーム１１の刃受け１３の後端に角体２１を立設してなり、切断刃１２と刃受け１３との間に喰いこんだ被切断物５０を、切断刃１２を上昇させ角体２１に当接させることにより被切断物５０を除去して、再切断できるようにしたことを特徴とする請求項１又は２記載の油圧ショベル等の廃棄物等の処理装置。
【請求項４】
前記爪装置３０が、受けフレーム１１の先端に接地できる長さの爪３１を連設してなり、被切断物５０及び切断物５１のかきまわし、ひっかけくずし、引き出し等の整理作業ができるようにしたことを特徴とする請求項１、２又は３記載の油圧ショベル等の廃棄物等の処理装置。
【請求項５】
前記フォーク装置４０が、上フォーク４１と下フォーク４２とからなり、上フォーク４１が、受けフレーム１１の下面に形成され、下フォーク４２が、内側フォーク板４２１と外側フォーク板４２２を備え、内側フォーク板４２１は、受けフレーム１１の後端に軸着したフォークシリンダ４３のロッド先端に軸着し、外側フォーク板４２２は、受けフレーム１１の中間部に軸着し、下フォーク４２の回動と揺動により、上フォーク４１と下フォーク４２の間で切断物５１のつかみ、積み込み、積み上げ、運搬等の後処理作業ができるように形成したことを特徴とする請求項１、２、３又は４記載の油圧ショベル等の廃棄物等の処理装置。
【請求項６】
前記切断刃１２Ｂが、切断鋸刃１２１Ｂと切断刃ホルダ１２２Ｂと切断刃押え材１２５Ｂとハカマ板１２６Ｂからなり、切断鋸刃１２１Ｂが、切断刃ホルダ１２２Ｂと切断刃押え材１２５Ｂに挟持取付られ、ハカマ板１２６Ｂが、切断刃ホルダ１２２Ｂの切断刃支持材１２２３Ｂと切断刃押え材１２５Ｂの前端１２２３１Ｂ及び１２５１Ｂに接して、前記切断鋸刃１２１Ｂの両側面１２１１Ｂ及び１２１２Ｂ及び先端１２１０１Ｂの３面に固着取付けたことを特徴とする請求項１、２、３、４又は５記載の油圧ショベル等の廃棄物等の処理装置。
【請求項７】
電磁石装置６０Ｂが、被切断物５０の中の鉄屑を吸着除去できるように、切断刃ホルダ１２２Ｂの上板１２２４Ｂの裏面に電磁石６１Ｂを取付けたことを特徴とする請求項１、２、３、４、５又は６記載の油圧ショベル等の廃棄物等の処理装置。
【発明の詳細な説明】
【技術分野】
【０００１】
本発明は、被切断物の切断装置と被切断物の再切断装置と切断物の整理装置と切断物の後処理装置と電磁石装置とを備えた油圧ショベル等の廃棄物等の処理装置に関する。
【背景技術】
【０００２】
従来、油圧ショベルには、特開２００２−１９９８２０号公報に示すような、被切断物を切断する切断装置を備えたものがあったが、切断の際、切断刃に被切断物が喰い込むことが多く、その除去は人力によらねばならなかった。また、切断後の切断物の整理作業や積み込み、積み上げ、運搬のための後処理作業に、人手か別の油圧ショベルを使用しなければならなかった。
そこで本発明者は、廃棄物等の被切断物を切断する切断装置のほか、被切断物が喰い込むことを防止する切断刃と、被切断物が喰い込んだ切断刃から、被切断物を除去して再切断できるようにした角装置と、散乱した切断物の整理作業を行う爪装置と、整理された切断物の積み込み、積み上げ、運搬等の後処理作業ができるようにしたフォーク装置と、鉄屑を除去することができるようにした電磁石装置とを、一台で一体的に複合作業ができるようにした油圧ショベル等の廃棄物等の処理装置の開発に成功し本発明を完成した。
【特許文献１】特開２００２−１９９８２０号公報
【発明の開示】
【発明が解決しようとする課題】
【０００３】
本発明は、廃棄物等の被切断物を切断する切断装置のほか、被切断物が喰い込むことを防止する切断刃と、被切断物が喰い込んだ切断刃から被切断物を除去して再切断できるようにした角装置と、山積みされた被切断物の取り出し、散乱した切断物の整理作業を行う爪装置と、整理された切断物の積み込み、積み上げ、運搬等の後処理作業ができるようにしたフォーク装置と、鉄屑を除去することができるようにした電磁石装置とを、一体的に備えた油圧ショベル等の廃棄物等の処理装置を提供するものである。
【課題を解決するための手段】
【０００４】
本発明の油圧ショベル等の廃棄物等の処理装置は、上記課題を達成するため、図示するように、被切断物５０を切断する切断装置１０と、切断刃１２に喰い込んだ被切断物５１を除去して再切断できるようにした角装置２０と、切断物５１のかきまわし、ひっかけくずし、引き出し等の整理作業ができるようにした爪装置３０と、切断物５０のつかみ、積み込み、積み上げ、運搬等の後処理作業ができるようにしたフォーク装置４０とを備えたものである。
また、本発明の油圧ショベル等の廃棄物等の処理装置は、上記課題を達成するため、図示するように、前記切断装置１０が、切断刃１２と刃受け１３からなり、切断刃１２は、扇形の切断鋸刃１２１の一端の軸１２３を、受けフレーム１１に軸着し、他端の軸１２４を、アーム２に設けたバケットシリンダ３のロッド４先端にＨ形リンク６を介して軸着すると共に、刃受け１３は、受けフレーム１１の前部に形成され、受けフレーム１１は、中間部をアーム２に軸支し、後部をアームとの間を固着した固定具１１１によりアーム２に当接できるようにしているものである。
また、本発明の油圧ショベル等の廃棄物等の処理装置は、上記課題を達成するため、図示するように、前記角装置２０が、受けフレーム１１の刃受け１３の後端に角体２１を立設してなり、切断刃１２と刃受け１３との間に喰いこんだ被切断物５０を、切断刃１２を上昇させ角体２１に当接させることにより、被切断物５０を除去して、再切断できるようにしたものである。
また、本発明の油圧ショベル等の廃棄物等の処理装置は、上記課題を達成するため、図示するように、前記爪装置３０が、受けフレーム１１の先端に接地できる長さの爪３１を連設してなり、被切断物５０及び切断物５１のかきまわし、ひっかけくずし、引き出し等の整理作業ができるようにしたものである。
また、本発明の油圧ショベル等の廃棄物等の処理装置は、上記課題を達成するため、図示するように、前記フォーク装置４０が、上フォーク４１と下フォーク４２とからなり、上フォーク４１が、受けフレーム１１の下面に形成され、下フォーク４２が、内側フォーク板４２１と外側フォーク板４２２を備え、内側フォーク板４２１は、受けフレーム１１の後端に軸着したフォークシリンダ４３のロッド先端に軸着し、外側フォーク板４２２は、受けフレーム１１の中間部に軸着し、下フォーク４２の回動と揺動により、上フォーク４１と下フォーク４２の間で切断物５１のつかみ、積み込み、積み上げ、運搬等の後処理作業ができるように形成したものである。
また、本発明の油圧ショベル等の廃棄物等の処理装置は、上記課題を達成するため、図示するように、前記切断刃１２Ｂが、切断鋸刃１２１Ｂと切断刃ホルダ１２２Ｂと切断刃押え材１２５Ｂとハカマ板１２６Ｂとを備え、切断刃ホルダ１２２Ｂは、切断鋸刃１２１Ｂの背部に当接する背板１２２１Ｂと、上板１２２４Ｂと、背板１２２１Ｂ上面と上板１２２４Ｂ表面に固着する切断刃支持材１２２３Ｂとを設けると共に、背板１２２１Ｂの下面にホルダ板１２２２Ｂ、１２２２Ｂを設け、切断刃押え材１２５Ｂは、切断鋸刃１２１Ｂの後部を切断刃支持材１２２３Ｂの反対側から挟持するように螺子１２５１Ｂを介して螺着し、ハカマ板１２６Ｂは、前記切断刃支持材１２２３Ｂと切断刃押え材１２５Ｂそれぞれの上端に沿うように、切断鋸刃１２１Ｂの両側面に固着してなり、被切断物５０の破片、細片が、前記切断刃支持材１２２３Ｂの内面と切断鋸刃１２１Ｂとの間隙、又は、切断刃押え材１２５Ｂの内面と切断鋸刃１２１Ｂとの間隙に侵入することを防止できるようにしたものである。
さらに、本発明の油圧ショベル等の廃棄物等の処理装置は、上記課題を達成するため、図示するように、電磁石装置６０Ｂが、切断刃ホルダ１２２Ｂの上板１２２４Ｂの裏面に設けられた電磁石６１Ｂと、切断刃１２Ｂと、受けフレーム１１と、刃受け１３と、バケットシリンダ３と、ロッド４と、Ｈ形リンク６とからなり、バケットシリンダ３のロッド４によりＨ形リンク６を介して駆動し、切断刃１２Ｂを閉じ、電磁石６１Ｂを受けフレーム１１の前方へ出し、電磁石６１Ｂの作動により被切断物５０の中の鉄屑を吸着して取除くことができるようにしたものである。
【発明の効果】
【０００５】
本発明により廃棄物等の切断作業、整理作業及び後処理作業は、人手や複数台の油圧ショベル等の廃棄物等の処理装置を介することなく、一台の油圧ショベル等で、迅速に、能率よく行うことができるようになった。
また、切断装置と角装置と爪装置とフォーク装置と電磁石装置が、小スペースで一体構造になっているので、油圧ショベル等のアーム２に取り付け、取りはずしが容易にできるようになった。
【発明を実施するための最良の形態】
【０００６】
本発明の油圧ショベル等の廃棄物等の処理装置は、切断装置と、角装置と、爪装置と、フォーク装置と、電磁石装置を備えているものである。
【実施例１】
【０００７】
本発明の実施例１が図１乃至図１１に示されている。
本発明実施例の処理装置は、切断装置１０と、角装置２０と、爪装置３０と、フォーク装置４０とを備えている。
切断装置１０は、刃受け１３と切断刃１２とからなり、刃受け１３は、受けフレーム１１の前部に内側を湾曲した形状に形成されている。
受けフレーム１１は、図１乃至図３に示すように、２枚の側板１４、１４の前方上面に、中間に切断刃１２が回動して嵌入できる間隙１３１を設けた刃受け１３を設け、側板１４、１４の中間に切断刃１２の一端に設けた軸１２３が軸支する軸穴１５と、アーム２に軸支する軸穴１６を設け、軸穴１６でアーム２先端に軸着すると共に、側板１４、１４の後端がア−ム２下面に、固定具１１１により固定されて当接している。
切断刃１２は、扇形の切断鋸刃１２１を形成し、鋸歯１２１の背部１２２の一端に設けた軸１２３を、側板１４の軸穴１５に回動可能に軸着し、他端に設けた軸１２４を、バケットシリンダ３のロッド４先端に、Ｈ形リンク６を介して軸着している。
角装置２０は、図１及び図２に示すように、三日月状に突出した角体２１に形成して、受けフレーム１１の刃受け１３の後方の側板１４、１４の両外側に立設されている。
爪装置３０は、図１及び図２に示すように、三角板状に形成して、受けフレーム１１の刃受け１３の先端下面に固着されている。
フォーク装置４０は、図１及び図５に示すように、上フォーク４１と、下フォーク４２とからなり、上フォーク４１は、受けフレーム１１の下面に形成され、下フォーク４２は、受けフレーム１１の中間部及び後端部に軸支されている。
下フォーク４２は、内側フォーク板４２１と外側フォーク板４２２を備え、内側フォーク板４２１は、後端を受けフレーム１１の後端に軸着したフォークシリンダ４３のロッド先端に軸着し、側板１４、１４の内側に配置され、外側フォーク板４２２は、後端を受けフレーム１１の中間部に軸着し、側板１４、１４の外側に配置され、内側フォーク板４２１と外側フォーク板４２２は、ピン４４、４５により連結され、一体的に回動と揺動ができるように形成されている。
従って、油圧ショベルを使用する時は、図９に示すように、油圧ショベル１のアーム２を駆動し、受けフレーム１１先端の爪装置３０により被切断物５０を取り出し、切断装置１０の刃受け１３を被切断物５０に近づけて、刃受け１３にすくいあげたのち、図６に示すように、切断刃１２をバケットシリンダ３によりＨ形リンク６を介して駆動して、切断刃１２を被切断物５０に噛み込ませて切断する。
切断の際、被切断物５０が切断刃１２に喰い込んで切断できないときは、図７に示すように、切断刃１２を上昇させ、被切断物５０を前記角装置２０に当接させれば、自動的に被切断物５０を除去でき、再切断ができる。
切断後、図１０に示すように、受けフレーム１１先端の爪装置３０を用いて切断物５１のかきまわし、ひっかけくずし、引き出し等の作業を行い切断物５１の整理をする。
次いで、図８及び図１１に示すように、整理された切断物５１を、フォーク装置４０の上フォーク４１と下フォーク４２の間ではさめば、つかみ、積み込み、積み上げ、運搬等の後処理作業ができる。
【実施例２】
【０００８】
本発明の実施例２が図１２乃至図１８に示されている。
本発明実施例の処理装置は、切断装置１０Ｂと、角装置２０と、爪装置３０と、フォーク装置４０と、電磁石装置６０Ｂとを備えている。
受けフレーム１１、刃受け１３、軸穴１５、アーム２、バケットシリンダ３、ロッド４、Ｈ形リンク６、角装置２０、爪装置３０、フォーク装置４０の構成は、本発明実施例１と同じであるので、詳細説明は省略する。
切断装置１０Ｂは、刃受け１３と切断刃１２Ｂとからなり、切断刃１２Ｂは、図１２乃至図１５に示すように、切断鋸刃１２１Ｂと切断刃ホルダ１２２Ｂと切断刃押え材１２５Ｂとハカマ板１２６Ｂとからなり、切断鋸刃１２１Ｂは、刃先を扇形に形成すると共に、切断刃ホルダ１２２Ｂの切断刃支持材１２２３Ｂと切断刃押え材１２５Ｂに挟持するように螺子１２５１Ｂを介して螺着されている。
切断刃ホルダ１２２Ｂは、図１４及び図１５に示すように、切断鋸刃１２１Ｂの背部に当接する背板１２２１Ｂと、上板１２２４Ｂと、背板１２２１Ｂ上面と上板１２２４Ｂ表面に固着する切断刃支持材１２２３Ｂとを備えている。
背板１２２１Ｂは、上面に切断鋸刃１２１Ｂの背部が当接し、また、切断鋸刃１２１Ｂの側面に当接する切断刃支持材１２２３Ｂを固着し、下面にホルダ板１２２２Ｂ、１２２２Ｂを固着している。ホルダ板１２２２Ｂ、１２２２Ｂは、図１２に示すように、一端に設けた軸１２３で、受けフレーム１１の軸穴１５に回動可能に軸着し、他端に設けた軸１２４Ｂで、バケットシリンダ３のロッド４先端に、Ｈ形リンク６を介して軸着している。
上板１２２４Ｂは、背板１２２１Ｂの上端に連設すると共に、切断刃支持材１２２３Ｂの先端部を固着している。
切断刃支持材１２２３Ｂは、切断鋸刃１２１Ｂの背部を囲むように湾曲形に形成され、背板１２２１Ｂ上面に直立するように固着すると共に、切断鋸刃１２１Ｂを螺着する多数個の螺子孔１２２３２Ｂを備えている。
切断刃押え材１２５Ｂは、図１４及び図１５に示すように、切断刃ホルダ１２２Ｂの背板１２２１Ｂ上面と上板１２２４Ｂの内側に当接すると共に、切断鋸刃１２１Ｂの後部を切断刃支持材１２２３Ｂと挟持するように、螺子１２５１Ｂを介して螺着している。
ハカマ板１２６Ｂは、図１４及び図１５に示すように、切断刃ホルダ１２２Ｂの切断刃支持材１２２３Ｂの前端１２２３１Ｂに隣接するように切断鋸刃１２１Ｂの側面１２１１Ｂに固着すると共に、切断刃押え材１２５Ｂの前端１２５１Ｂに隣接するように切断鋸刃１２１Ｂの他の側面１２１２Ｂに固着し、また、切断鋸刃１２１Ｂの刃先１２１０Ｂの先端部１２１０１Ｂにかぶさるように固着している。また、刃先１２１０Ｂの端部は、上板１２２４Ｂの延長上の端部より切断鋸刃１２１Ｂの端部を突出させてもよい。
なお、ハカマ板１２６Ｂは、図１５に示すように、前端部１２６１Ｂをスミ肉溶接して固着しているが、ハカマ板１２６Ｃは、図１７に示すように、前端部１２６１Ｃをスミ肉溶接すると共に、後端部１２６２Ｃをレ形またはＪ形の開先溶接して固着したもの、また、ハカマ板１２６Ｄは、図１８に示すように、前端部１２６１Ｄをスミ肉溶接すると共に、中間部１２６３０に穴を設け栓溶接して固着したものでもよい。
さらに、ハカマ板１２６Ｂ、１２６Ｃ又は１２６Ｄの中間部と切断鋸刃１２１Ｂに貫通孔を設け、ボルトナット（図示しない）で螺着してもよい。
電磁石装置６０Ｂは、図１６に示すように、電磁石６１Ｂと、切断刃１２Ｂと、受けフレーム１１と、刃受け１３と、切断装置１０Ｂと、爪装置３０と、バケットシリンダ３と、ロッド４と、Ｈ形リンク６とからなり、電磁石６１Ｂは、切断刃ホルダ１２２Ｂの上板１２２４Ｂの裏面に当接するように設けられ、バケットシリンダ３のロッド４によりＨ形リンク６を介して切断刃１２Ｂを回動させることにより、電磁石６１Ｂを切断装置１０Ｂの前面に出すことができるように形成されている。
従って、油圧ショベルを使用する時は、図１６に示すように、切断刃１２Ｂを閉じて、電磁石６１Ｂを受けフレーム１１の前方へ出し、電磁石６１Ｂの作動により、被切断物５０中の鉄屑を吸着して取除いたのち、切断刃１２Ｂを開き、受けフレーム１１先端の爪装置３０により被切断物５０を取り出し、切断装置１０の刃受け１３を被切断物５０に近づけて刃受け１３にすくいあげたのち、切断刃１２Ｂをバケットシリンダ３によりＨ形リンク６を介して駆動して、切断刃１２Ｂを被切断物５０に噛み込ませて切断する。
角装置２０、爪装置３０、フォーク装置４０の作用は、本発明実施例１と同じであるので、詳細説明は省略する。
【実施例３】
【０００９】
本発明の実施例３が図１９乃至図２１に示されている。
本発明実施例の処理装置は、切断装置１０Ｅと、角装置２０と、爪装置３０と、フォーク装置４０とを備えている。
受けフレーム１１、刃受け１３、軸穴１５、アーム２、バケットシリンダ３、ロッド４、Ｈ形リンク６、角装置２０、爪装置３０、フォーク装置４０の構成は、本発明実施例１と同じであるので、詳細説明は省略する。
切断装置１０Ｅは、刃受け１３と切断刃１２Ｅとからなり、切断刃１２Ｅは、図２０及び図２１に示すように、切断鋸刃１２１Ｅと切断刃ホルダ１２２Ｅと切断刃押え材１２５Ｅとハカマ板１２６Ｅとリンク板１２７Ｅからなり、切断鋸刃１２１Ｅは、刃先を扇形に形成すると共に、切断刃ホルダ１２２Ｅの切断刃支持部１２２３Ｅと切断刃押え材１２５Ｅに挟持されるように螺子１２５１Ｅを介して螺着されている。
切断刃ホルダ１２２Ｅは、切断鋸刃１２１Ｅの後端部に当接する背部１２２２Ｅと、切断鋸刃１２１Ｅの側面に当接する切断刃支持部１２２３Ｅからなる。
切断刃押え材１２５Ｅは、図２０及び図２１に示すように、切断刃ホルダ１２２Ｅの背部１２２２Ｅ下面に当接すると共に、切断鋸刃１２１Ｅの後端部分を切断刃支持部１２２３Ｅと挟持するように、螺子１２５１Ｅを介して螺着している。
ハカマ板１２６Ｅは、切断刃ホルダ１２２Ｅの切断刃支持部１２２３Ｅの前端１２２３１Ｅに隣接するように切断鋸刃１２１Ｅの側面１２１１Ｅに固着すると共に、切断刃押え材１２５Ｅの前端１２５１Ｅに隣接するように切断鋸刃１２１Ｂの他の側面１２１２Ｅに固着し、また、切断鋸刃１２１Ｅの刃先１２１０Ｅの一端部１２１０１Ｅにかぶさるように固着している。
リンク板１２７Ｅは、切断刃ホルダ１２２Ｅの背部１２２２Ｅの両側面を挟むように固着し、先端に設けた軸１２４Ｅをバケットシリンダ３のロッド４先端に、Ｈ形リンク６を介して軸着している。
従って、油圧ショベルを使用する時は、図１９に示すように、油圧ショベル１のアーム２を駆動し、受けフレーム１１先端の爪装置３０により被切断物５０を取り出し、切断装置１０Ｅの刃受け１３を被切断物５０に近づけて、刃受け１３にすくいあげたのち、切断刃１２Ｅをバケットシリンダ３によりＨ形リンク６を介して駆動して、切断刃１２Ｅを被切断物５０に噛み込ませて切断する。
角装置２０、爪装置３０、フォーク装置４０の作用は、本発明実施例１と同じであるので、詳細説明は省略する。
【産業上の利用可能性】
【００１０】
本発明油圧ショベル等の廃棄物等の処理装置は、構造簡単で、安価に製作できる。
【図面の簡単な説明】
【００１１】
【図１】本発明実施例の要部の側面図である。
【図２】図１の一部を省略した斜視図である。
【図３】図１の平面図である。
【図４】図１のアーム、リンク、切断刃を除いたときの平面図である。
【図５】図１のフォークを下方から見た説明図である。
【図６】図１の切断状態を示す説明図である。
【図７】図１の切断刃に喰い込んだ被切断物の除去の状態を示す説明図である。
【図８】図１のフォークの動作を示す説明図である。
【図９】図１の使用状態説明図である。
【図１０】図１の別の使用状態説明図である。
【図１１】図１のさらに別の使用状態説明図である。
【図１２】本発明の別の実施例の要部の側面図である。
【図１３】図１２の一部を省略した斜視図である。
【図１４】図１２の切断刃の斜視図である。
【図１５】図１４のＡ−Ａ線断面を示す説明図である。
【図１６】図１２の電磁石装置の使用状態を示す説明図である。
【図１７】図１４の別の実施例の断面を示す説明図である。
【図１８】図１４のさらに別の実施例の断面を示す説明図である。
【図１９】本発明のさらに別の実施例の要部の側面図である。
【図２０】図１９の切断刃の側面図である。
【図２１】図２０のＢ−Ｂ線断面を示す説明図である。
【符号の説明】
【００１２】
１０、１０Ｂ              切断装置
１１                      受けフレーム
１１１                    固定具
１２、１２Ｂ              切断刃
１２１、１２１Ｂ          切断鋸刃
１２１１Ｂ、１２１２Ｂ    切断鋸刃の側面
１２１０１Ｂ              切断鋸刃の先端部
１２２Ｂ                  切断刃ホルダ
１２２３Ｂ                切断刃支持材
１２２３１Ｂ              切断刃支持材の前端
１２３                    切断刃の一端の軸
１２４                    切断刃の他端の軸
１２５Ｂ                  切断刃押え材
１２５１Ｂ                切断刃押え材の前端
１２６Ｂ                  ハカマ板
１３                      刃受け
２０                      角装置
２１                      角体
３０                      爪装置
３１                      爪
４０                      フォーク装置
４１                      上フォーク
４２                      下フォーク
４２１                    内側フォーク板
４２２                    外側フォーク板
４３                      フォークシリンダ
５０                      被切断物
５１                      切断物
６０Ｂ                    電磁石装置
６１Ｂ                    電磁石
【図１】
2007009679.tif 000003
【図２】
2007009679.tif 000004
【図３】
2007009679.tif 000005
【図４】
2007009679.tif 000006
【図５】
2007009679.tif 000007
【図６】
2007009679.tif 000008
【図７】
2007009679.tif 000009
【図８】
2007009679.tif 000010
【図９】
2007009679.tif 000011
【図１０】
2007009679.tif 000012
【図１１】
2007009679.tif 000013
【図１２】
2007009679.tif 000014
【図１３】
2007009679.tif 000015
【図１４】
2007009679.tif 000016
【図１５】
2007009679.tif 000017
【図１６】
2007009679.tif 000018
【図１７】
2007009679.tif 000019
【図１８】
2007009679.tif 000020
【図１９】
2007009679.tif 000021
【図２０】
2007009679.tif 000022
【図２１】
2007009679.tif 000023